(57)【要約】      （修正有）【課題】ヘアスタイル等による頭囲の変化に対応して好適なフィット感を得ることのできる帽子を提供する。【解決手段】頭頂部を覆うクラウン２と、クラウン２の下端縁に全周にわたって縫製されたブリム３と、クラウン２の裏地側下端縁部に全周にわたって配置されたスウェットバンド４とからなり、スウェットバンド４の裏面にほぼ全周にわたってゴム紐５が張力を調整自在に配設される。このため、帽子を着用する場合において、スウェットバンド４に対してゴム紐５の張力を増減することが可能となり、ヘアスタイル等によって頭囲が変化したとしても、ゴム紐５の張力を調整して好適なフィット感を得ることができる。【選択図】図３
0003187317.tif 000002
【実用新案登録請求の範囲】
【請求項１】
頭頂部を覆うクラウンと、クラウンの下端縁に全周にわたって縫製されたブリムと、クラウンの裏地側下端縁部に全周にわたって配置されたスウェットバンドとからなり、スウェットバンドの裏面にほぼ全周にわたって弾性体が弾性力を調整自在に配設されることを特徴とする帽子。
【請求項２】
請求項１に記載の帽子において、前記弾性体がゴム紐であって、スウェットバンドの裏面にカバーを介して移動自在に設けられ、スウェットバンドの連結部近傍においてゴム紐の各端部がカバーから引き出されて結束されることを特徴とする帽子。
【請求項３】
請求項１に記載の帽子において、前記弾性体がゴム紐であって、スウェットバンドの裏面にカバーを介して移動自在に設けられ、スウェットバンドの連結部近傍においてゴム紐の各端部がカバーから引き出されてそれぞれ互いに付着可能な面ファスナーに連結されることを特徴とする帽子。
【請求項４】
請求項１に記載の帽子において、前記弾性体がゴム紐であって、スウェットバンドの裏面にカバーを介して移動自在に設けられ、スウェットバンドの連結部近傍においてゴム紐の一端部が止着されるとともに、その他端部がカバーから引き出されて面ファスナーに連結され、また、スウェットバンドの連結部近傍におけるゴム紐の一端側に、ゴム紐の他端部に連結された面ファスナーと互いに付着可能な面ファスナーが設けられることを特徴とする帽子。
【考案の詳細な説明】
【技術分野】
【０００１】
この考案は、帽子に関するものである。
【背景技術】
【０００２】
一般に、帽子は、頭部に被ることにより、頭部を保護する機能を備えている。そして、帽子は、メーカーにおいて、サイズ別に色柄模様、デザイン、素材などを組み合わせて製造され、ユーザーは、多種多様な帽子のなかから嗜好や服装、季節などに適合した特定の帽子を選択し、購入している。この場合、帽子が頭囲に合わない場合は、帽子に設けた調整具を利用して調整するようにしている（例えば、特許文献１，２参照）。
【先行技術文献】
【特許文献】
【０００３】
【特許文献１】特開２００３−３３１６号公報
【特許文献２】実用新案登録第３００１４４６号公報
【考案の概要】
【考案が解決しようとする課題】
【０００４】
ところで、前述した調整機構は、帽子のクラウンに切り欠きを形成するとともに、切り欠きにわたって調整具を設け、切り欠きの間隔を調整具によって調整することにより、クラウンの下縁周長を調整することから、クラウンの下端縁に全周にわたってブリムを設けたハットに適用することは困難である。
【０００５】
なお、ハットにおいて、クラウンの裏地側下縁にゴム紐を設け、常に一定の張力で頭に保持されるフリーサイズの帽子も提案されている（例えば、実開平４−６９４１７号公報参照）が、頭囲に合わせて、例えば、ヘアスタイル等の変化に合わせて張力を調整することはできず、場合によっては頭を締め付けたり、緩くなるおそれがある。
【０００６】
本考案は、このような問題点に鑑みてなされたもので、ヘアスタイル等によって頭囲が変化したとしても、好適なフィット感を得ることのできる帽子を提供するものである。
【課題を解決するための手段】
【０００７】
本考案は、頭頂部を覆うクラウンと、クラウンの下端縁に全周にわたって縫製されたブリムと、クラウンの裏地側下端縁部に全周にわたって配置されたスウェットバンドとからなり、スウェットバンドの裏面にほぼ全周にわたって弾性体が弾性力を調整自在に配設されることを特徴とするものである。
【０００８】
本考案によれば、スウェットバンドに対して弾性力を調整可能に弾性体が設けられることにより、ヘアスタイル等によって頭囲が変化したとしても、頭頂部に対して弾性体の弾性力を調整して好適なフィット感で帽子を着用することができる。
【０００９】
本考案において、前記弾性体がゴム紐であって、スウェットバンドの裏面にカバーを介して移動自在に設けられ、スウェットバンドの連結部近傍においてゴム紐の各端部がカバーから引き出されて結束されることが好ましい。これにより、ゴム紐の引き出し長さを調整して結束することで、ゴム紐の張力を調整することが可能となり、頭頂部に対して好適なフィット感を得ることができる。
【００１０】
本考案において、前記弾性体がゴム紐であって、スウェットバンドの裏面にカバーを介して移動自在に設けられ、スウェットバンドの連結部近傍においてゴム紐の各端部がカバーから引き出されてそれぞれ互いに付着可能な面ファスナーに連結されることが好ましい。これにより、ゴム紐の引き出し長さを調整するとともに、付着面積を変えて互いに面ファスナーを付着することで、ゴム紐の張力を調整することが可能となり、頭頂部に対して好適なフィット感を得ることができる。
【００１１】
本考案において、前記弾性体がゴム紐であって、スウェットバンドの裏面にカバーを介して移動自在に設けられ、スウェットバンドの連結部近傍においてゴム紐の一端部が止着されるとともに、その他端部がカバーから引き出されて面ファスナーに連結され、また、スウェットバンドの連結部近傍におけるゴム紐の一端側に、ゴム紐の他端部に連結された面ファスナーと互いに付着可能な面ファスナーが設けられることが好ましい。これにより、ゴム紐の他端部の引き出し長さを調整するとともに、その面ファスナーを付着面積を変えてスウェットバンドに縫製した面ファスナーに互いに付着することで、ゴム紐の張力を調整することが可能となり、頭頂部に対して好適なフィット感を得ることができる。
【考案の効果】
【００１２】
本考案によれば、ヘアスタイル等によって頭囲が変化したとしても、好適なフィット感を得ることができる。
【図面の簡単な説明】
【００１３】
【図１】本考案の帽子の一実施形態を示す斜視図である。
【図２】図１の帽子の部分断面図である。
【図３】図１の帽子におけるスウェットバンドの連結部の裏面側を示す斜視図である。
【図４】図１の帽子の変形例におけるスウェットバンドの連結部の裏面側を示す斜視図である。
【図５】図１の帽子の他の変形例におけるスウェットバンドの連結部の裏面側を示す斜視図である。
【考案を実施するための形態】
【００１４】
以下、本考案の実施の形態を図面に基づいて説明する。
【００１５】
図１乃至図３には、本考案の帽子１の一実施形態が示されている。
【００１６】
このニット帽子１は、頭頂部を覆うクラウン２と、クラウン２の下端縁に全周にわたって縫製されたブリム３とからなり、クラウン２の裏地側下端縁部に全周にわたってスウェットバンド４が設けられている。そして、クラウン２の裏地と対向するスウェットバンド４の裏面には、弾性体としてのゴム紐５が移動自在に配設されている。具体的には、スウェットバンド４の裏面には、カバー６の上下端縁部が縫製される一方、スウェットバンド４とカバー６との間にはゴム紐５が挿通されている。また、クラウン２の後部において、スウェットバンド４の各端部が折り返されて縫製されており、このスウェットバンド４の連結部の左右近傍において、カバー６にはそれぞれ取出口６ａが開口されており、カバー６の各取出口６ａを通してゴム紐５の各端部が引き出されている。したがって、カバー６から引き出し長さを調整してゴム紐５の各端部を結束することができる。
【００１７】
これにより、帽子１を着用する場合において、ヘアスタイル等によって頭囲が変化したとしても、頭頂部に対して好適なフィット感を得ることができる。例えば、カバー６からのゴム紐５の引き出し長さを調整してゴム紐５の各端部を結ぶことにより、ゴム紐５の張力を増減することができ、頭頂部に対して好適なフィット感を得ることができる。
【００１８】
なお、ゴム紐５の張力を調整して結束した後、スウェットバンド４をクラウン２の裏面側に折り返すことにより、結束したゴム紐５は、クラウン２の裏面とスウェットバンド４の裏面との間に収容でき、頭髪にゴム紐５が絡みつくことはない。
【００１９】
ところで、前述した実施形態においては、ゴム紐５の各端部を引き出して結束する場合を例示したが、図４に示すように、ゴム紐５の各端部にそれぞれ互いに付着可能な面ファスナー７Ａ，７Ｂを連結してもよい。これにより、帽子１の着用時において、ゴム紐５の引き出し長さを調整するとともに、面ファスナー７Ａ，７Ｂをそれぞれ付着面積を変えて付着することで、ゴム紐５の張力を増減することが可能となり、頭頂部に対して好適なフィット感を得ることができる。
【００２０】
また、図５に示すように、ゴム紐５の一端部をスウェットバンド４の連結部近傍に止着する一方、カバー６の取出口６ａから引き出されたゴム紐５の他端部に面ファスナー７Ａを連結し、さらに、ゴム紐５の一端部側のスウェットバンド４の連結部近傍において、ゴム紐５の他端部に連結された面ファスナー７Ａと互いに付着可能な面ファスナー７Ｂを縫製することもできる。これにより、ゴム紐５の他端部の引き出し長さを調整して面ファスナー７Ａ，７Ｂをそれぞれ付着面積を変えて付着することで、ゴム紐５の張力を増減することが可能となり、頭頂部に対して好適なフィット感を得ることができる。
【符号の説明】
【００２１】
１  帽子
２  クラウン
３  ブリム
４  スウェットバンド
５  ゴム紐（弾性体）
６  カバー
７Ａ，７Ｂ  面ファスナー
【図１】
0003187317.tif 000003
【図２】
0003187317.tif 000004
【図３】
0003187317.tif 000005
【図４】
0003187317.tif 000006
【図５】
0003187317.tif 000007